(57)【要約】【課題】  通信のデータ量を検出し、データ伝送速度とその送信出力とを最適制御する無線通信システム及びその通信制御方法を提供する。【解決手段】  複数の無線通信装置間で送受信される信号のデータ量を検出するデータ量検出手段２１と、データ量検出手段２１にて検出されたデータ量に基づき、無線通信装置間で送受信される信号の伝送速度を設定する伝送速度設定手段２２と、送信出力を設定する出力制御設定手段２３と、設定された伝送速度及び送信出力に応じて無線通信装置間で信号の送受信を行う信号送受信手段２４とにより構成される。【選択図】      図１
2006279855.tif 000002
【特許請求の範囲】
【請求項１】
無線信号を送受信するアンテナと、該アンテナによって送受信される信号の送受信処理を行う送受信回路とを有する複数の無線通信装置の間で通信を行う無線通信システムにおいて、
前記複数の無線通信装置間で送受信される前記信号のデータ量を検出するデータ量検出手段と、
前記データ量検出手段にて検出された前記データ量に基づき、前記無線通信装置間で送受信される前記信号の伝送速度及び送信出力を設定する設定手段と、
前記設定手段にて設定された前記伝送速度及び前記送信出力に応じて前記無線通信装置間で前記信号の送受信を行う信号送受信手段と、を有する
ことを特徴とする無線通信システム。
【請求項２】
前記設定手段は、前記信号の送受信時の変調方式を設定することにより前記伝送速度を設定する
ことを特徴とする請求項１記載の無線通信システム。
【請求項３】
前記設定手段は、前記データ量が大であるときには小であるときに比して前記伝送速度を高く設定する
ことを特徴とする請求項１又は２記載の無線通信システム。
【請求項４】
前記設定手段は、前記データ量が大であるときには小であるときに比して前記送信出力を高く設定する
ことを特徴とする請求項１乃至３のいずれかに記載の無線通信システム。
【請求項５】
前記設定手段は、前記データ量に基づき設定される前記送信出力に応じて前記伝送速度を設定する
ことを特徴とする請求項１乃至４のいずれかに記載の無線通信システム。
【請求項６】
前記複数の無線通信装置間での前記信号の送受信時における信号品質を検出する信号品質検出手段を有し、
前記信号品質検出手段は、前記設定手段にて前記データ量に基づき設定された前記送信出力に応じた前記信号品質を検出し、
前記設定手段は、前記信号品質検出手段にて検出されて、前記データ量に基づき設定された前記送信出力に応じた前記信号品質に応じて前記伝送速度を設定する
ことを特徴とする請求項５記載の無線通信システム。
【請求項７】
前記複数の無線通信装置間での前記信号の送受信時における信号品質を検出する信号品質検出手段を有し、
前記設定手段は、前記データ量検出手段にて検出された前記データ量及び前記信号品質検出手段にて検出された前記信号品質に応じて前記伝送速度を設定する
ことを特徴とする請求項１乃至４のいずれかに記載の無線通信システム。
【請求項８】
前記複数の無線通信装置間での前記信号の送受信時における信号品質を検出する信号品質検出手段を有し、
前記設定手段は、前記信号品質検出手段にて検出された前記信号品質に応じて初期伝送速度を設定する伝送速度初期設定手段と、前記データ量検出手段によって検出された前記データ量又は前記データ量に応じて設定された前記送信出力の少なくとも一方に応じて前記初期伝送速度を変更して前記伝送速度を決定する伝送速度設定手段とを有する
ことを特徴とする請求項１乃至４のいずれかに記載の無線通信システム。
【請求項９】
前記信号品質検出手段は、前記データ量に応じて設定された前記送信出力に応じて信号品質を検出し、
前記伝送速度設定手段は、前記データ量に応じて設定された前記送信出力に応じて前記信号品質検出手段により検出される前記信号品質に応じて前記初期伝送速度を変更して前記伝送速度を決定する
ことを特徴とする請求項８記載の無線通信システム。
【請求項１０】
前記設定手段は、前記伝送速度を設定する伝送速度設定手段と、前記送信出力を設定する出力設定手段とを有し、
前記伝送速度設定手段は、前記データ量検出手段にて検出された前記データ量の基づき前記伝送速度を設定し、
前記出力設定手段は、前記伝送速度設定手段にて前記データ量に基づき設定された前記伝送速度に応じて前記送信出力を設定する
ことを特徴とする請求項１乃至９のいずれかに記載の無線通信システム。
【請求項１１】
前記データ量検出手段にて検出された前記データ量が所定値以上である場合には、前記出力設定手段が前記送信出力を前記データ量に応じて増大設定し、前記伝送速度設定手段は前記出力設定手段にて前記データ量に基づき前記送信出力が増大設定された後に前記データ量に応じて前記伝送速度を設定する
ことを特徴とする請求項１０記載の無線通信システム。
【請求項１２】
無線信号を送受信するアンテナと、該アンテナによって送受信される信号の送受信処理を行う送受信回路とを有する複数の無線通信装置の間で無線通信を行う無線通信システムの通信制御方法において、
前記複数の無線通信装置間で送受信される前記信号のデータ量を検出し、検出された前記データ量に基づき、前記信号の送受信における送信出力と前記信号の伝送速度を設定し、
設定された前記送信出力及び前記伝送速度に応じて前記信号を送受信する
ことを特徴とする無線通信システムの制御方法。
【請求項１３】
前記データ量に基づき前記伝送速度を設定した後に、この前記データ量に応じて設定された伝送速度に応じて前記送信出力を設定する
ことを特徴とする請求項１２記載の無線通信システムの通信制御方法。
【請求項１４】
前記データ量が所定値以上である時には、前記送信電力を増大設定した後に前記データ量に基づき前記伝送速度を設定する
ことを特徴とする請求項１３記載の無線通信システムの通信制御方法。
【発明の詳細な説明】
【技術分野】
【０００１】
本発明は、無線データ通信における周波数の利用効率を高めるためのシステム及びその方法に関し、詳しくはデータ量とデータ伝送速度とその送信出力とを、通信の環境において最適制御する無線通信システム及びその通信制御方法に関する。
【背景技術】
【０００２】
無線による通信は、無線基地局のカバーエリアと無線端末の移動場所により、相互の通信状態が大きく変動する特徴を有している。また音声通信と異なり、データ通信は、使用用途によって上り（無線端末→基地局）、下り（基地局→無線端末）のデータ量が異なるという特徴を有する。多くの無線端末が限られた周波数を共用してデータ通信を行うためには、周波数を如何に有効に利用するかが重要な課題であり、特許文献１には、トラフィック量に応じて周波数帯域を効率よく使用するため、トラフィック量を検出し、符号速度と変調速度とを適応制御するディジタル衛星通信方式が記載されている。しかしこの方式によると、周波数を有効に利用するための一手段として有効であるが、他の無線機に干渉などの障害を与えることなく確実に相手に通信することについては十分ではないという問題がある。
【特許文献１】特開平７−１２３０３９号公報
【発明の開示】
【発明が解決しようとする課題】
【０００３】
本発明は、このような問題を解決するためになされたものであり、その目的は、通信のデータ量を検出し、データ伝送速度とその送信出力とを最適制御する無線通信システム及びその通信制御方法を提供することである。
【課題を解決するための手段】
【０００４】
本発明の無線通信システムは、無線信号を送受信するアンテナと、該アンテナによって送受信される信号の送受信処理を行う送受信回路とを有する複数の無線通信装置の間で通信を行う無線通信システムにおいて、
前記複数の無線通信装置間で送受信される前記信号のデータ量を検出するデータ量検出手段と、
前記データ量検出手段にて検出された前記データ量に基づき、前記無線通信装置間で送受信される前記信号の伝送速度及び送信出力を設定する設定手段と、
前記設定手段にて設定された前記伝送速度及び前記送信出力に応じて前記無線通信装置間で前記信号の送受信を行う信号送受信手段と、を有する
ことを特徴とする。
【０００５】
本発明の無線通信システムの前記設定手段は、前記信号の送受信時の変調方式を設定することにより前記伝送速度を設定する
ことを特徴とする。
【０００６】
本発明の無線通信システムの前記設定手段は、前記データ量が大であるときには小であるときに比して前記伝送速度を高く設定する
ことを特徴とする。
【０００７】
本発明の無線通信システムの前記設定手段は、前記データ量が大であるときには小であるときに比して前記送信出力を高く設定する
ことを特徴とする。
【０００８】
本発明の無線通信システムの前記設定手段は、前記データ量に基づき設定される前記送信出力に応じて前記伝送速度を設定する
ことを特徴とする。
【０００９】
本発明の無線通信システムは、さらに、前記複数の無線通信装置間での前記信号の送受信時における信号品質を検出する信号品質検出手段を有し、
前記信号品質検出手段は、前記設定手段にて前記データ量に基づき設定された前記送信出力に応じた前記信号品質を検出し、
前記設定手段は、前記信号品質検出手段にて検出されて、前記データ量に基づき設定された前記送信出力に応じた前記信号品質に応じて前記伝送速度を設定する
ことを特徴とする。
【００１０】
本発明の無線通信システムは、さらに、前記複数の無線通信装置間での前記信号の送受信時における信号品質を検出する信号品質検出手段を有し、
前記設定手段は、前記データ量検出手段にて検出された前記データ量及び前記信号品質検出手段にて検出された前記信号品質に応じて前記伝送速度を設定する
ことを特徴とする。
【００１１】
本発明の無線通信システムは、さらに、前記複数の無線通信装置間での前記信号の送受信時における信号品質を検出する信号品質検出手段を有し、
前記設定手段は、前記信号品質検出手段にて検出された前記信号品質に応じて初期伝送速度を設定する伝送速度初期設定手段と、前記データ量検出手段によって検出された前記データ量又は前記データ量に応じて設定された前記送信出力の少なくとも一方に応じて前記初期伝送速度を変更して前記伝送速度を決定する伝送速度設定手段とを有する
ことを特徴とする。
【００１２】
本発明の無線通信システムの前記信号品質検出手段は、前記データ量に応じて設定された前記送信出力に応じて信号品質を検出し、
前記伝送速度設定手段は、前記データ量に応じて設定された前記送信出力に応じて前記信号品質検出手段により検出される前記信号品質に応じて前記初期伝送速度を変更して前記伝送速度を決定する
ことを特徴とする。
【００１３】
本発明の無線通信システムの前記設定手段は、前記伝送速度を設定する伝送速度設定手段と、前記送信出力を設定する出力設定手段とを有し、
前記伝送速度設定手段は、前記データ量検出手段にて検出された前記データ量の基づき前記伝送速度を設定し、
前記出力設定手段は、前記伝送速度設定手段にて前記データ量に基づき設定された前記伝送速度に応じて前記送信出力を設定する
ことを特徴とする。
【００１４】
本発明の無線通信システムにおいて、前記データ量検出手段にて検出された前記データ量が所定値以上である場合には、前記出力設定手段が前記送信出力を前記データ量に応じて増大設定し、前記伝送速度設定手段は前記出力設定手段にて前記データ量に基づき前記送信出力が増大設定された後に前記データ量に応じて前記伝送速度を設定する
ことを特徴とする。
【００１５】
本発明の無線通信システムの通信制御方法は、無線信号を送受信するアンテナと、該アンテナによって送受信される信号の送受信処理を行う送受信回路とを有する複数の無線通信装置の間で無線通信を行う無線通信システムの通信制御方法において、
前記複数の無線通信装置間で送受信される前記信号のデータ量を検出し、検出された前記データ量に基づき、前記信号の送受信における送信出力と前記信号の伝送速度を設定し、
設定された前記送信出力及び前記伝送速度に応じて前記信号を送受信する
ことを特徴とする。
【００１６】
本発明の無線通信システムの通信制御方法は、さらに、前記データ量に基づき前記伝送速度を設定した後に、この前記データ量に応じて設定された伝送速度に応じて前記送信出力を設定する
ことを特徴とする
【００１７】
本発明の無線通信システムの通信制御方法は、さらに、前記データ量が所定値以上である時には、前記送信電力を増大設定した後に前記データ量に基づき前記伝送速度を設定する
ことを特徴とする
【発明の効果】
【００１８】
本発明の無線通信システムとその通信制御方法によれば、データ通信を行う無線通信装置は、限られた周波数を共用して、他の多くの無線通信装置に干渉などの障害を与えることなく、確実に相手と通信することが可能となる。このため周波数の利用効率が向上する。また、送信出力を最適化することで、無線通信装置における消費電力を低減できる。
【発明を実施するための最良の形態】
【００１９】
本発明による、無線通信システムの実施の形態について、図を用いて説明する。図１は、本発明の無線通信システムにおける無線通信装置の構成を示すハードウエアブロック図である。無線通信装置１０は送受信回路２０とアンテナ３０を有して構成され、無線基地局又は無線端末として機能する。この無線基地局及び無線端末は、他の複数の無線基地局又は無線端末との間で電波により互いに無線ネットワークを構成し、システマチックに連動している。従って、無線端末として機能している無線通信装置１０は、同様の機能を有する基地局を介して、他の同様の無線端末とディジタルデータの送受信を行っている。
【００２０】
まず、ある無線端末が、基地局を介して他の無線端末などの通信端末と通信を行う場合を想定する。図１において、送受信回路２０は、データ量検出手段２１、伝送速度設定手段２２、出力制御手段２３及び信号送受信手段２４から構成される。無線通信装置１０は、無線端末として他の無線端末とデータ通信を行うため、データ信号を、送受信回路２０からアンテナ３０を通じて、基地局へ送信する。このとき、データ量検出手段２１は、信号送受信手段２４の送信側のベースバンドから送信データのデータ量を検出し、そのデータ量を設定手段としての伝送速度設定手段２２及び出力制御手段２３へ送る。したがって、信号送受信手段２４は、通常の無線基地局又は無線端末が有する無線送受信機能を標準機能として有している。
【００２１】
伝送速度設定手段２２は、データ量検出手段２１によって検出されたデータ量に基づき、信号送受信手段２４が有する変調方式の中から最適な変調方式を設定し、送信信号（データ）の変調を行わせる。この信号の変調方式の設定は、ＢＰＳＫ、ＱＰＳＫ、８ＰＳＫ、１２ＱＡＭ、１６ＱＡＭ、２４ＱＡＭ等の中から選択されて、設定される。また出力制御手段２３は、検出されたデータ量に基づき、信号送受信手段２４が有する送信電力増幅器のゲインを、所定の値に設定する。送信電力増幅器は、設定された値により、変調された信号を電力増幅し、アンテナ３０を介して基地局へ送信する。
【００２２】
伝送速度設定手段２２は、データ量が大であるときには小であるときに比して伝送速度が高くなるように伝送速度（変調方式）を設定するが、変調方式の選択以外の方法を用いて伝送速度を速めても良い。出力制御手段２３は、データ量が大であるときには小であるときに比して送信出力が高くなるように送信出力を設定するが、データ量が所定の値を超えたときのみ、データ量に応じて送信出力が高くなるように設定しても良い。また伝送速度設定手段２２は、データ量検出手段２１のデータ量に基づき伝送速度を設定する以外に、出力制御手段２３の出力信号に基づき伝送速度を設定しても良い。
【００２３】
次に、基地局が、ある無線端末から送られてきた無線信号を、他の無線端末へ送信する場合を想定する。図２は、本発明の無線通信システムにおける他の無線通信装置としての基地局の構成を示すハードウエアブロック図である。無線通信装置１０′の送受信回路２０′は、さらに信号品質検出手段２５′を有する。基地局では、ある無線端末の送受信回路２０にてデータ量に基づき設定された変調方式と送信電力で送信される電波を、アンテナ３０′及び信号送受信手段２４′により受信する。信号品質検出手段２５′は、信号送受信手段２４′の有する受信信号強度表示信号（ＲＳＳＩ）のＣＮ比（Ｃａｒｒｉｅｒ  ｔｏ  Ｎｏｉｓｅ  ｒａｔｉｏ）を得て、信号品質を判断し信号品質信号を生成する。この信号品質信号は、伝送速度設定手段２２′へ送られて伝送速度を設定する。またデータ量検出手段２１′は、信号送受信手段２４′の受信側のベースバンドから、受信データのデータ量を検出する。
【００２４】
図３は、信号送受信手段２４′から得られるＣＮ比とデータ量の相関を、同じ時間軸で示した相関図である。フェーズ１において受信データ量は所定値以下であるため、特に電力を上げる制御は行われない。従って信号送受信手段２４′では、伝送速度設定手段２２′により受信した変調方式が選択され、出力制御手段２３′により受信時の電力に相当する電力で他の無線端末へ送信信号を出力する。フェーズ２においてデータ量は所定値を超えているので、出力制御手段２３′により電力を上げる制御が行われる。フェーズ３においてデータ量は所定値より少なく、且つＣＮ比は非常に大きいため、送信電力を下げるか、データ速度を上げる制御が伝送速度設定手段２２′と出力制御手段２３′とで行われる。フェーズ４においては、フェーズ２と同様の制御がされる。フェーズ５においては、フェーズ３と同様の制御がされる。
【００２５】
伝送速度設定手段２２′は、信号品質検出手段２５´で得られる信号品質信号と、データ量検出手段２１′で得られるデータ量とでデータの伝送速度を決めるが、データ量に係らず、信号品質検出手段２５′で得られる信号品質信号だけで伝送速度を決めても良い。さらに伝送速度設定手段２２′は、伝送速度初期設定手段を有し、信号品質検出手段２５′がＲＳＳＩから得た信号品質信号により伝送速度初期設定手段の初期伝送速度を設定し、且つ、データ量検出手段２１′により得られたデータ量、又は出力制御手段２３′から得られた出力制御信号により、設定された初期伝送速度を変更して伝送速度を設定しても良い。そして、基地局側の伝送速度設定手段２２′にて信号品質やデータ量に応じて設定される伝送速度（変調方式）が、無線端末側から送信される信号の伝送速度（変調方式）と異なる場合には、信号送受信手段２４′は伝送速度設定手段２２′で設定された伝送速度（変調方式）で信号が送信されるように無線端末へ制御信号を送信する。
【００２６】
以上、ある無線端末が基地局を介して他の無線端末と通信を行う場合を想定し、送信データ量から伝送速度を決める変調方式と、送信電力（送信出力）とを設定する場合と、基地局がそれを受けて他の無線端末へ中継する場合を想定し、受信信号の信号品質とデータ量とから伝送速度を決める変調方式を設定し、データ量から送信電力とを設定する場合について説明した。従ってこの後、他の無線端末が基地局の送信信号を受けて最初送信してきたある無線端末と継続して通信する場合、無線通信装置２０は、信号品質と信号のデータ量から伝送速度（変調方式）を設定し、データ量から送信出力（送信電力）を設定する。ここで、基地局は無線端末を仲介するため、最初の受信信号による信号品質は、最初の送信先の無線端末の電波環境を示す信号品質とはならない。このため、図１で説明したデータ量だけで伝送速度と送信電力を決めても良いし、無線端末がカバーエリア内にあることで、この信号品質を用いて行っても良い。２回目以降は、前回の信号品質を基準に設定する。
【００２７】
また無線端末が最初に通信を開始する場合、信号品質の検出を行わないで送信データ量だけを制御信号に用いたが、無線端末は基地局が送信するエリア管理の制御信号を常時受信しているため、これを信号品質検出手段２５′へ入力して用いても良い。さらに、出力制御手段２３′は、データ量検出手段２１′のデータ量に基づき伝送速度を設定する以外に、伝送速度設定手段２２′の出力信号に基づき出力を変更する出力変更手段を設けても良い。
【００２８】
図１、２に示されるハードウエア構成は、当該機能を実現する手段であれば、どのような回路または装置であってもよく、また機能の一部をソフトウエアで実現することも可能である。さらに機能実現手段を、複数の回路によって実現してもよく、複数の機能を単一の回路で実現してもよい。
【００２９】
図４は、本発明における無線通信システムの制御処理の流れを示すフローチャートである。ここでは、無線端末としての無線通信装置１０と無線基地局としての無線通信装置１０′との間での無線通信を例に挙げて説明する。
【００３０】
まず、ステップＳ１にて、無線通信装置１０及び無線通信装置１０′は、それぞれ他の無線通信装置との間で無線通信による接続が開始されたか否かを判定する。このステップＳ１で、それぞれの無線通信装置１０、１０′が接続開始を判定しない場合、リターンとなって最初に戻る。また、無線通信装置１０及び無線通信装置１０′が、互いに両者間での無線通信による接続開始を判定すると、ステップＳ２に進み、両無線通信装置１０、１０′間での無線通信における信号品質の計測を行う。この信号品質の計測は、例えば、基地局装置としての無線通信装置１０′に設けられた信号品質検出手段２５′によって、無線通信装置１０との間での無線通信時の信号品質が計測される。
【００３１】
そして、次にステップＳ３に進み、両無線通信装置１０、１０′間での通信時における伝送信号の初期の変調方式（初期伝送速度）を決定する。ここでは、ステップＳ２で計測された信号品質などに基づき変調方式を設定することとなり、無線装置１０′の伝送速度設定手段２２′は、信号品質検出手段２５′から検出された信号品質を入力し、この信号品質に応じて伝送信号の変調方式を設定する。ここで、変調方式は、基本的には信号品質が良好であるほど多値変調方式となるように設定される。そして、伝送速度設定手段２２′によって伝送信号の変調方式が設定されることにより、互いに通信を行う無線通信装置１０、１０′間での伝送信号（データ）の伝送速度が設定されることとなり、信号品質が良好であるほど変調方式が多値変調方式に設定されて伝送速度は速くなる。
【００３２】
そして、無線通信装置１０′は、伝送速度設定手段２２′で設定された変調方式に応じて送信信号を信号送受信手段２４′にて変調し、この送信信号を無線通信装置１０へ送信する。また、伝送速度設定手段２２′にて変調方式が設定されると、無線通信装置１０′は、この変調方式に関する制御情報を信号送受信手段２４′からアンテナ３０′を介して送信される制御信号によって無線通信装置１０に送信する。無線通信装置１０は、この変調方式に関する制御情報を含む制御信号を受信すると、この変調方式に応じて受信した伝送信号の復調処理を行うように構成されている。
【００３３】
ステップＳ３で変調方式（伝送速度）が設定されると、次にステップＳ４に進み、信号品質が十分かどうか判定される。ここでは、無線通信装置１０、１０′の出力制御手段２３、２３′がステップＳ２で計測された信号品質やステップＳ３で設定された変調方式に対する送信出力が十分か否かを判定する。ここでの送信出力は、送信側の無線通信装置における信号送信時における出力であって、送信出力に余裕があると判定されると、ステップＳ５に進み、出力制御手段２３、２３′は送信側の無線通信装置における信号送信時の出力を低減するように出力制御を行う。
【００３４】
また、ステップＳ４にて信号品質が不十分である、即ち送信出力が不十分であると判定されると、ステップＳ６に進み、出力制御手段２３、２３′によって送信側の無線通信装置における信号送信時の出力が増大されるように出力制御が行われる。そしてステップＳ６にて送信出力が増大制御されると、ステップＳ３に戻り、ステップＳ６にて調整された出力に応じて変調方式を設定（変更）する。即ち、ステップＳ３にて設定された変調方式に対する送信出力が不足しているとステップＳ４にて判定されて、ステップＳ６にて送信出力が増大される場合には、ステップＳ３にて再度変調方式を設定（変更）することにより、必要以上の出力増大を抑制することができる。例えば、変調方式を低値変調方式へ変更することにより、送信出力の増大量を低減できる。
【００３５】
そして、ステップＳ４において信号品質（又は変調方式に対する送信出力）が最適であると判定されたり、ステップＳ５において出力が低減された後には、ステップＳ７に進み、無線通信装置１０、１０′間で送受信される通信信号のデータ量を無線通信装置１０、１０′のデータ量検出手段２１、２１′にて計測する。
【００３６】
次に、ステップＳ８に進み、ステップＳ７においてデータ量検出手段２１、２１′が計測したデータ量が判断され、当該データ量が第１所定値以上であると判定されると、ステップＳ９に進む。このステップＳ９では、出力制御手段２３、２３′が、データ量検出手段２１、２１′から出力されるデータ量情報を入力し、このデータ量情報に基づきデータ量が大であるほど送信側の無線通信装置における信号送信時の出力を増大させる。そして、ステップＳ９にて出力が増大されると、ステップＳ２に戻り、ステップＳ９にて調整された送信出力に応じて信号品質を計測し、この再計測された信号品質に応じてステップＳ３にて変調方式を設定（変更）する。そして、データ量が所定値以上の値であるような大である場合には、このデータ量に応じて送信出力が増大されるとともに、送信出力が増大された後の信号品質に応じて変調方式が設定（変更）されることとなり、変調方式は高値変調方式側へ変更される。また、データ量が大であるときには、変調方式を高値変調方式側へ変更する前に送信出力が増大されるので、通信安定性を向上（維持）した状態で変調方式を高値変調方式側へ変更することができる。
【００３７】
ステップＳ８にて、データ量検出手段２１、２１′で計測されるデータ量が少ない、例えばデータ量が第２所定値（＜第１所定値）よりも小さいと判定されると、ステップＳ３に戻り、この判定されたデータ量に応じて変調方式を変更すべく伝送速度設定手段２２、２２′はデータ量検出手段２１、２１′からデータ量情報を入力して該データ量情報に応じて変調方式を設定（変更）する。よって、データ量が少ない場合には、変調方式を低値変調方式へと変更することにより、低速の伝送速度にて通信制御が行われる。
【００３８】
また、ステップＳ８にて、データ量検出手段２１、２１′にて検出される通信信号のデータ量が最適である、即ち当該データ量が第１所定値よりも小さく且つ第２所定値以上であったり、ステップＳ３にて設定された変調方式及びステップＳ４乃至Ｓ６にて調整された出力に適したデータ量であると判定される場合には、ステップＳ１０に進む。ステップＳ１０では、接続が維持されているかを判定し、接続が維持されていると判定されるとステップＳ２に戻り上述したフローを繰り返し実施し、接続が維持されていない、即ち接続が遮断されたと判定されるとリターンされて最初に戻る。
【００３９】
このように、本実施形態の無線通信システムでは、無線通信装置１０、１０′間で無線通信が行われる際に、ステップＳ８にて計測される通信信号のデータ量が大である場合にはステップＳ９にて送信側の無線通信装置における出力が増大されるように出力制御されるとともに、この出力制御後の信号品質に応じて伝送速度（変調方式）が設定（変更）される。また、同データ量が小である場合には、データ量に応じて伝送速度（変調方式）が設定（変更）される。また、伝送速度（変調方式）が設定（変更）された後に、信号品質又は変調方式に対する送信出力が十分であるか否かを判断し、その判定結果に応じて送信出力を増減させることにより、通信安定性を向上できるとともに送信側無線通信装置の省電力を図ることができる。
【００４０】
なお、データ量が大であるときにのみ出力制御を行うように構成されているが、データ量が小であるときにも変調方式の設定（変更）前に出力制御を行う（この場合には出力を下げる）ように構成しても良い。また、ステップＳ８にてデータ量が小であると判定された場合にもステップＳ２に戻り、信号品質を計測した後にステップＳ３にて変調方式を設定するように構成しても良い。また、ステップＳ８にてデータ量が大であると判定されてステップＳ９にて出力制御が行われた場合、ステップＳ２にて信号品質を計測することなくステップＳ３にて変調方式を変更するように構成しても良い。
【００４１】
更には、接続開始の判定後に、ステップＳ３において信号品質に応じて初期の変調方式（初期伝送速度）を設定し、その後、通信信号のデータ量に応じて初期の変調方式を変更して伝送速度を決定する構成としたが、接続開始後に通信信号のデータ量を計測して、このデータ量や信号品質に応じて初期の変調方式や出力を設定して、その後の通信中も継続して通信信号のデータ量に応じて変調方式や出力を変更するように構成しても良い。
【００４２】
以上説明したように、ディジタルデータ通信を行う無線端末及び無線基地局は、通信信号のデータ量に応じてデータの伝送速度と送信電力（送信出力）を最適化して通信するため、限られた周波数を共用して、他の多くの無線端末に干渉などの障害を与えることなく、確実に相手と通信することが可能となる。つまり、送受信される信号のデータ量に基づき信号の伝送速度（変調方式）が設定（変更）することにより、周波数の利用効率が向上する。また、データ量に基づき設定（変更）された伝送速度（変調方式）に応じた信号品質に応じて送信出力を増減することにより、送信出力が最適化されて、消費電力を低減でき、無線通信装置の消費電力を軽減できる。特に、データ量が小である場合には、変調方式（伝送速度）を低値変調方式側に設定（変更）することにより、この設定された変調方式に応じて送信出力を低減することが可能となり、送信側無線通信装置の省電力化が図れることとなり、無線通信端末である場合にはバッテリの長寿命化が図れる。
【図面の簡単な説明】
【００４３】
【図１】本発明による無線通信システムの無線通信装置の構成を示すハードウエアブロック図。
【図２】本発明の無線通信システムの他の無線通信装置の構成を示すハードウエアブロック図。
【図３】ＣＮ比とデータ量を、同じ時間軸で示したＣＮ比とデータ量との相関図。
【図４】本発明の無線通信システムの処理の流れを示すフローチャート。
【符号の説明】
【００４４】
１０、１０′  無線通信装置
２０、２０′  送受信回路
２１、２１′  データ量検出手段
２２、２２′  伝送速度設定手段
２３、２３′  出力制御手段
２４、２４′  信号送受信手段
２５′  信号品質検出手段
３０、３０  アンテナ
【図１】
2006279855.tif 000003
【図２】
2006279855.tif 000004
【図３】
2006279855.tif 000005
【図４】
2006279855.tif 000006